(57)【要約】【課題】  コネクタ本体１と挿入ポート３とを備え、挿入ポート３内には弾性部材で形成された板状のバルブ８が設けられ、バルブ８にはスリット８１が形成され、注射器２を挿入ポート３に挿入する際には、口部２１によりスリット８１が押し開かれて、口部２１が挿入されるようにした医療用コネクタにおいて、注射器２を挿入する際及び注射器２を取り外す際に操作が煩雑になることなく、注射器２のぐらつきを防止する。【解決手段】  挿入ポート３内には、弾性材料で形成されたブシュ７が嵌着され、挿入ポート３の開口端側のブシュ７の端部を塞ぐようにしてバルブ８がブシュ７と一体に形成される。ブシュ７の内周は、口部２１によって押し開かれるスリット８１の両脇のバルブ８の部分を受け入れる大径穴部７２と、口部２１が嵌合する小径穴部７３とを有する段付き穴形状に形成される。【選択図】  図１
2006043354.tif 000002
【特許請求の範囲】
【請求項１】
医療用チューブを接続する中空のコネクタ本体と、コネクタ本体の外周に設けられた、注射器の口部を挿入するための挿入ポートとを備え、挿入ポート内には外気を遮断するための弾性材料で形成された板状のバルブが設けられ、バルブにはスリットが形成され、注射器の口部を挿入ポートに挿入する際には、該口部によりスリットが押し開かれて、挿入ポート内に口部が挿入されるようにした医療用コネクタにおいて、
前記挿入ポート内には、弾性材料で形成されたブシュが嵌着され、挿入ポートの開口端側のブシュの端部を塞ぐようにして前記バルブがブシュと一体に形成され、
該ブシュの内周は、前記注射器の口部を前記挿入ポートに挿入することによって押し開かれる前記スリットの両脇のバルブの部分を受け入れる大径穴部と、前記挿入ポート内に挿入された注射器の口部が嵌合する、大径穴部からコネクタ本体側にのびる、大径穴部より内径が小さい小径穴部とを有する段付き穴形状に形成されることを特徴とする医療用コネクタ。
【請求項２】
前記挿入ポートの開口端部寄りの部分は、内周面が開口端側に向かって縮径するテーパー形状であることを特徴とする請求項１記載の医療用コネクタ。
【請求項３】
前記挿入ポート内に、前記ブシュの前記コネクタ本体側の端面とコネクタ本体との間に位置させて、前記コネクタ本体内を流れる流体が前記ブシュの内周に流れ込むことを阻止する逆止弁を設けることを特徴とする請求項１又は２記載のコネクタ。
【発明の詳細な説明】
【技術分野】
【０００１】
本発明は、点滴等の輸液回路を構成する医療用チューブ内を流れる流体に、注射器から薬液を混入し得るように構成された医療用コネクタに関する。
【背景技術】
【０００２】
この種の医療用コネクタは、医療用チューブを接続する中空のコネクタ本体と、コネクタ本体の外周に設けられ、注射器の口部を挿入するための挿入ポートとを備える（例えば、特許文献１参照）。挿入ポート内には外気を遮断するための弾性材料で形成された板状のバルブが設けられている。バルブにはスリットが形成され、注射器の口部を挿入ポートに挿入する際には、口部によりスリットが押し開かれて、挿入ポート内に口部が挿入される。
【０００３】
しかしながら、従来の医療用コネクタは、注射器の口部を前記挿入ポートに挿入した際、押し開かれたスリットの両脇のバルブの部分のみが注射器の口部に接触した状態となるため、この接触した位置を支点として注射器がぐらつき易かった。
【０００４】
これを解消すべく、前記挿入ポートの外周に雄ねじをきり、注射器の口部を囲うように筒状体を注射器に設け、この筒状体の内周面に雌ねじを設けて、雄ねじと雌ねじとの螺合により医療用コネクタに対する注射器のぐらつきを防止するものも知られている（例えば、特許文献２参照）。
【０００５】
しかしながら、このような医療用コネクタは、注射器を挿入する際、及び注射器を取り外す際に、注射器を医療用コネクタに対して回転させて、螺合させ、又は螺合を解除させなければならず、操作が煩雑になる。
【特許文献１】特開２００２−３０６６１０号公報（第９頁、第１２図）
【特許文献２】特開２００４−４６３号公報（第９頁、第５図）
【発明の開示】
【発明が解決しようとする課題】
【０００６】
本発明は、以上の点に鑑み、注射器を挿入する際、及び注射器を取り外す際に操作が煩雑になることなく、注射器のぐらつきを防止することができる医療用コネクタを提供することを目的とする。
【課題を解決するための手段】
【０００７】
上記目的を達成するため、本発明では、医療用チューブを接続する中空のコネクタ本体と、コネクタ本体の外周に設けられた、注射器の口部を挿入するための挿入ポートとを備え、挿入ポート内には外気を遮断するための弾性材料で形成された板状のバルブが設けられ、バルブにはスリットが形成され、注射器の口部を挿入ポートに挿入する際には、該口部によりスリットが押し開かれて、挿入ポート内に口部が挿入されるようにした医療用コネクタを以下の如く改良している。
【０００８】
即ち、本発明の医療用コネクタは、前記挿入ポート内に、弾性材料で形成されたブシュが嵌着され、挿入ポートの開口端側のブシュの端部を塞ぐようにして前記バルブがブシュと一体に形成され、該ブシュの内周は、前記注射器の口部を前記挿入ポートに挿入することによって押し開かれる前記スリットの両脇のバルブの部分を受け入れる大径穴部と、前記挿入ポート内に挿入された注射器の口部が嵌合する、大径穴部からコネクタ本体側にのびる、大径穴部より内径が小さい小径穴部とを有する段付き穴形状に形成されることを特徴とする。
【０００９】
かかる構成によれば、挿入ポートへの注射器の口部の挿入でスリットが押し開かれる際、スリットの両脇のバルブの部分は、大径穴部内で径方向外方へ逃げ、口部はブシュ内にその端部近傍で支えることなくスムーズに挿入される。そして、注射器の口部が前記小径穴部と嵌合し、医療用コネクタに対する注射器のぐらつきを防止することができる。また、小径穴部は、弾性材料により形成されているため、注射器の口部を傷つけることなく嵌合させることができる。また、小径穴部に対する口部の密着性も確保され、注射器から薬液を注入する際に、薬液が小径穴部から大径穴部側に逆流することを防止できる。
【００１０】
また、従来の医療用コネクタのように注射器を回転させて螺合させる必要がないため、容易に注射器を医療用コネクタに挿入し、または取り外すことができる。また、バルブは挿入ポートの開口端側のブシュの端部に形成されているため、挿入ポートの開口端とバルブの表面とが近接し、挿入ポートの開口端及びバルブの表面を容易に消毒することができる。
【００１１】
ところで、ブシュは注射器の口部の挿入時に口部とバルブとの間に作用する摩擦力で軸方向に若干圧縮され、ブシュの弾性復元力により注射器にこれを挿入ポートから押し出す方向の力が作用する。ここで、挿入ポートの開口端部寄りの部分を、内周面が開口端側に向かって縮径するテーパー形状に形成しておけば、ブシュの弾性復元力でブシュの端部（バルブ）が挿入ポートの開口端側に復動する際、挿入ポートのテーパー形状によりバルブが次第に径方向内方に圧縮され、注射器の口部とスリットの両脇のバルブの部分との摩擦力が強くなり、注射器がバルブから抜け難くなる。このため、注射器により医療用コネクタを介して医療用チューブに薬液を混注している最中に、誤って注射器の口部が挿入ポートから脱落することを防止することができ、有利である。
【００１２】
また、挿入ポートから注射器を取り外した状態において、コネクタ本体内を流れる流体がブシュの内周に流入すると、バルブのスリットから流体が外部に流れる可能性がある。この場合、挿入ポート内に、ブシュのコネクタ本体側の端面とコネクタ本体との間に位置させて、コネクタ本体内を流れる流体がブシュの内周に流れ込むことを阻止する逆止弁を設ければ、上記不具合は生じず、有利である。
【発明を実施するための最良の形態】
【００１３】
本発明の実施の形態を図１、図２を参照して説明する。図１は本実施形態の医療用コネクタを示した説明的断面図、図２は本実施形態の医療用コネクタに注射器を挿入した状態を示す説明的断面図である。
【００１４】
図１に示すように、本発明の実施形態の医療用コネクタは、図示しない医療用チューブを両端に接続する中空のコネクタ本体１と、コネクタ本体１の外周中央に設けられた、注射器２の口部２１を挿入するための挿入ポート３とを備える。
【００１５】
挿入ポート３は、コネクタ本体１と一体に形成された略有底筒状のポート基部３１と、ポート基部３１の開口端に外嵌固定される筒状のポート本体３２とを備える。ポート基部３１の底部３３には、コネクタ本体１内の流路１ａと連通する連通孔４が形成され、連通孔４の両脇には一対の突起３４が設けられている。ポート基部３１の内周には、周壁５１と天板５２とからなるキャップ状のカバー５が設けられている。天板５２には孔部５３が形成されている。
【００１６】
また、挿入ポート３内には、カバー５上に位置させて、ゴム等の弾性材料で形成された略円筒状のブシュ７が嵌着されている。挿入ポート３の開口端側のブシュ７の端部には、外気を遮断するための円板状のバルブ８が一体に形成されている。また、バルブ８には、スリット８１が形成されている。バルブ８が挿入ポート３の開口端側のブシュ７の端部に形成されているため、挿入ポート３の開口端とバルブ８の表面とが近接し、挿入ポート３の開口端及びバルブ８の表面を容易に消毒することができる。
【００１７】
ポート本体３２には、挿入ポート３の開口端側に位置させて、開口端側に向かって次第に縮径するテーパー形状部３２ａが形成され、ポート基部３１側に位置させて、テーパー形状部３２ａよりも大きい内径を備える大径部３２ｂが形成されている。テーパー形状部３２ａと大径部３２ｂとは段部３２ｃを介して連結されている。ブシュ７の外周にも段部７１が形成されており、この段部７１がポート本体３２の段部３２ｃに係合し、ブシュ７のコネクタ本体１側の端部がカバー５の天板５２に着座することにより、ブシュ７がポート本体３２とカバー５との間に挟持される。
【００１８】
ブシュ７の内周は、バルブ８側の大径穴部７２と、大径穴部７２からコネクタ本体１側にのびる、大径穴部７２より内径が小さい小径穴部７３とを有する段付き穴形状に形成されている。大径穴部７２は、注射器２の口部２１を挿入ポート３に挿入することによって押し開かれるスリット８１の両脇のバルブ８の部分を受け入れることができる。
【００１９】
これにより、注射器２の口部２１を挿入ポート３に挿入する際に、口部２１により押し開かれ、ブシュ７内に入り込んだスリット８１の両脇のバルブ８の部分が邪魔になることはなく、注射器２の口部２１を容易にブシュ７の内周に挿入することができる。
【００２０】
小径穴部７３は、ブシュ７内に挿入された注射器２の口部２１と嵌合する。これにより、注射器２はしっかりと支えられ、医療用コネクタに対する注射器２のぐらつきを防止することができる。また、小径穴部７３は弾性材料により形成されているため、注射器２の口部２１を傷つけることなく嵌合させることができる。また、小径穴部７３に対する口部２１の密着性も確保され、注射器２から薬液を注入する際に、薬液が小径穴部７３から大径穴部７２側に逆流して外部に漏れることを防止できる。
【００２１】
また、カバー５内には、その天板５２と突起３４との間に挟持させた状態で、ゴム等の弾性材料で形成された円板状の逆止弁９が設けられている。逆止弁９は、常時は、天板５２と密着することにより天板５２に形成された孔部５３を閉塞し、コネクタ本体１内を流れる流体がブシュ７の内周に流れ込むことを阻止する。これにより、コネクタ本体１内を流れる流体がブシュ７の内周を介してバルブ８のスリット８１から外部に漏れることを防止できる。
【００２２】
逆止弁９は、図２に示すように、挿入ポート３内に挿入された注射器２から薬液が注入されると略Ｕ字形状に撓み、突起３４により押さえつけられていない部分の、天板５２との密着が解除される。これにより、薬液は、天板５２と逆止弁９との密着が解除された部分から連通孔４を介してコネクタ本体１内の流路１ａへと流れる。
【００２３】
本実施形態の医療用コネクタによれば、上記の如く注射器２の口部２１がブシュ７の小径穴部７３に嵌合してしっかりと支えられるため、従来の医療用コネクタのように注射器２を挿入ポート３に螺合させる必要がなく、従って、容易に注射器２を医療用コネクタに挿入し、または取り外すことができる。
【００２４】
なお、図２に示すように、ブシュ７は、注射器２の口部２１の挿入時に口部２１とバルブ８との間に作用する摩擦力で軸方向に若干圧縮され、ブシュ７の弾性復元力により注射器２にこれを挿入ポート３から押し出す方向の力が作用する。
【００２５】
本実施形態においては、ブシュ７の弾性復元力でブシュ７の端部（バルブ８）が挿入ポート３の開口端側に復動する際、テーパー形状部３２ａによりバルブ８が次第に径方向内方に圧縮され、注射器２の口部２１とスリット８１の両脇のバルブ８の部分との摩擦力が強くなり、注射器２がバルブ８から抜け難くなる。このため、注射器２により医療用コネクタを介して薬液を混注している最中に誤って注射器２の口部２１が挿入ポートから脱落することを防止できる。
【図面の簡単な説明】
【００２６】
【図１】本実施形態の医療用コネクタを示した説明的断面図。
【図２】本実施形態の医療用コネクタに注射器を挿入した状態を示す説明的断面図。
【符号の説明】
【００２７】
１…コネクタ本体、  ２…注射器、  ２１…口部、  ３…挿入ポート、  ３２ａ…テーパー形状部、  ７…ブシュ、  ７２…大径穴部、  ７３…小径穴部、  ８…バルブ、  ８１…スリット、  ９…逆止弁。
【図１】
2006043354.tif 000003
【図２】
2006043354.tif 000004